(57)【要約】【課題】車両における走行環境認識への乗員の不安を低減可能な提示制御装置等の提供を目的とする。【解決手段】ＨＣＵ３０は、周辺監視装置７０を搭載する車両Ａにおいて用いられ、車両Ａに設けられた発光装置２３の発光制御によって情報を提示する。ＨＣＵ３０は、情報取得部３１、モード切替部３４及び提示制御部３５を備えている。情報取得部３１は、周辺監視装置７０による走行環境認識に関連した認識情報を取得する。モード切替部３４は、発光装置２３を用いた情報提示を複数の提示モードのうちで切り替える。提示制御部３５は、認識情報を用いた発光装置２３の発光制御により、周辺監視装置７０の能力限界を、複数の提示モードにおいて提示する。【選択図】図２
2019137179.tif 000002
【特許請求の範囲】
【請求項１】
周辺監視装置（７０）を搭載する車両（Ａ）において用いられ、前記車両に設けられた発光部（２３）の発光制御によって情報を提示する提示制御装置であって、
前記周辺監視装置による走行環境認識に関連した認識情報を取得する情報取得部（３１）と、
前記発光部を用いた情報提示を複数の提示モードのうちで切り替えるモード切替部（３４）と、
前記認識情報を用いた前記発光部の発光制御により、前記周辺監視装置の能力限界を、複数の前記提示モードにおいて提示する発光制御部（３５）と、を備える提示制御装置。
【請求項２】
前記モード切替部は、前記周辺監視装置によって認識できない認識不可エリア（ＲＡ３）の有無に基づき、異なる前記提示モードに設定する請求項１に記載の提示制御装置。
【請求項３】
前記車両には、前記走行環境認識に基づく自動運転を実施する自動運転システム（９０）が搭載され、
前記モード切替部は、前記認識不可エリアが無い場合に、前記提示モードを車両挙動モードに設定し、
前記発光制御部は、前記車両挙動モードにおいて、前記自動運転システムにて計画された将来挙動を、前記発光部に表示させた先行発光スポット（２６）によって提示する請求項２に記載の提示制御装置。
【請求項４】
前記発光制御部は、前記車両の周辺のリスク対象が前記周辺監視装置によって検出された場合に、当該リスク対象を報知する報知発光スポット（２８）に前記先行発光スポットを重ねた表示を前記発光部に行わせる請求項３に記載の提示制御装置。
【請求項５】
前記モード切替部は、前記認識不可エリアが有る場合に、前記提示モードを行動誘発モードに設定し、
前記発光制御部は、前記行動誘発モードにおいて、前記認識不可エリアの存在を、前記発光部に表示させた誘導発光スポット（２７）によって提示する請求項３又は４に記載の提示制御装置。
【請求項６】
前記発光制御部は、前記認識不可エリアへ向けて前記誘導発光スポットを移動させる請求項５に記載の提示制御装置。
【請求項７】
前記発光部は、前記車両の幅方向（ＷＤ）に沿って延伸する形状であり、
前記発光制御部は、前記認識不可エリアが三つ以上ある場合に、複数の前記認識不可エリアのうちで最も外側に位置する二つを基準に、前記発光部における発光範囲（２７ａ）の両端位置（２７ｒ，２７ｌ）を規定する請求項５又は６に記載の提示制御装置。
【請求項８】
前記モード切替部は、前記認識不可エリアを示す前記誘導発光スポットの消灯に合わせて、前記行動誘発モードから、前記自動運転システムの待機状態を示す状態通知モードに、前記提示モードを切り替える請求項５〜７のいずれか一項に記載の提示制御装置。
【請求項９】
前記情報取得部は、前記自動運転システムにて実施される自律走行の自動化レベルを取得し、
前記発光制御部は、
前記自動化レベルが予め規定された閾値よりも低い場合に、前記発光部における発光スポット（２５）の点灯基準位置（ＬＰｒ）を、前記車両の運転席（１１０）の正面位置に設定し、
前記自動化レベルが予め規定された閾値よりも高い場合に、前記正面位置よりも前記車両の幅方向（ＷＤ）における中央寄りに前記点灯基準位置を設定する請求項５〜８のいずれか一項に記載の提示制御装置。
【請求項１０】
前記発光制御部は、前記発光スポットの点灯幅を前記自動化レベルに応じて変更する請求項９に記載の提示制御装置。
【請求項１１】
前記認識不可エリアは、前記自動運転システムによって要求される要求認識範囲（ＲＡ１）と、前記周辺監視装置による実際の認識が想定される想定認識範囲（ＲＡ２）との差分に基づき設定される請求項３〜１０のいずれか一項に記載の提示制御装置。
【請求項１２】
前記発光制御部は、前記モード切替部によって設定された各前記提示モードにおいて、個々の前記提示モードに対し予め規定された互いに異なる発光色にて前記発光部を発光させる請求項１〜１１のいずれか一項に記載の提示制御装置。
【請求項１３】
周辺監視装置（７０）を搭載する車両（Ａ）において用いられ、前記車両に設けられた発光部（２３）の発光制御によって情報を提示する提示制御プログラムであって、
少なくとも一つの処理部（４１）を、
前記周辺監視装置による走行環境認識に関連した認識情報を取得する情報取得部（３１）、
前記発光部を用いた情報提示を複数の提示モードのうちで切り替えるモード切替部（３４）、
前記認識情報を用いた前記発光部の発光制御により、前記周辺監視装置の能力限界を、複数の前記提示モードにおいて提示する発光制御部（３５）、として機能させる提示制御プログラム。
【発明の詳細な説明】
【技術分野】
【０００１】
この明細書による開示は、車両の乗員に情報を提示する情報提示の制御技術に関する。
【背景技術】
【０００２】
従来、例えば特許文献１に開示の車両は、走行環境認識部による車両の周辺の認識結果に基づく自動運転を実行可能である。こうした走行環境認識部には、能力限界が不可避的に存在する。そのため、特許文献１の車両には、警報装置が搭載されている。警報装置は、自動運転を継続不能である場合に、ステアリングホイールに設けられた発光部を発光させる情報提示により、運転者にステアリングホイールの把持を促す。
【先行技術文献】
【特許文献】
【０００３】
【特許文献１】特開２０１７‐７４７８号公報
【発明の概要】
【発明が解決しようとする課題】
【０００４】
特許文献１の警報装置では、自動運転が継続不能となる限られたタイミングにおいてのみ、走行環境認識部の能力限界が、車両の乗員に提示される。そのため車両の乗員は、乗車中の多くの機会において、走行環境認識部の能力限界を知る手がかりを得ることができない。その結果、車両の乗員は、走行環境認識部による周辺認識に対して、不安を感じ易くなり得た。
【０００５】
本開示は、車両における走行環境認識への乗員の不安を低減可能な提示制御装置及び提示制御プログラムの提供を目的とする。
【課題を解決するための手段】
【０００６】
上記目的を達成するため、開示された一つの態様は、周辺監視装置（７０）を搭載する車両（Ａ）において用いられ、車両に設けられた発光部（２３）の発光制御によって情報を提示する提示制御装置であって、周辺監視装置による走行環境認識に関連した認識情報を取得する情報取得部（３１）と、発光部を用いた情報提示を複数の提示モードのうちで切り替えるモード切替部（３４）と、認識情報を用いた発光部の発光制御により、周辺監視装置の能力限界を、複数の提示モードにおいて提示する発光制御部（３５）と、を備える提示制御装置とされる。
【０００７】
また開示された一つの態様は、周辺監視装置（７０）を搭載する車両（Ａ）において用いられ、車両に設けられた発光部（２３）の発光制御によって情報を提示する提示制御プログラムであって、少なくとも一つの処理部（４１）を、周辺監視装置による走行環境認識に関連した認識情報を取得する情報取得部（３１）、発光部を用いた情報提示を複数の提示モードのうちで切り替えるモード切替部（３４）、認識情報を用いた発光部の発光制御により、周辺監視装置の能力限界を、複数の提示モードにおいて提示する発光制御部（３５）、として機能させる提示制御プログラムとされる。
【０００８】
これらの態様によれば、発光部を用いた情報提示の提示モードが切り替えられても、周辺監視装置の能力限界は、各提示モードにおいて実施される発光部の発光制御により、車両の乗員に提示される。以上によれば、車両の乗員は、周辺監視装置の能力限界を知る手がかりを乗車中の多くの機会において得られるようになる。したがって、提示制御装置及び提示制御プログラムによる情報提示は、車両における走行環境認識への乗員の不安を低減できる。
【０００９】
尚、上記括弧内の参照番号は、後述する実施形態における具体的な構成との対応関係の一例を示すものにすぎず、技術的範囲を何ら制限するものではない。
【図面の簡単な説明】
【００１０】
【図１】運転席周辺における情報提示システムのレイアウト等を示す図である。
【図２】ＨＣＵを含む車載システムの全体像を示すブロック図である。
【図３】自動運転システムの作動状態の遷移を示す状態遷移図である。
【図４】情報提示のタイミング及び余裕時間の考え方を説明するための図である。
【図５】エリア特定処理の詳細を示すフローチャートである。
【図６】要求認識範囲及び想定認識範囲を例示する図である。
【図７】認識不可エリアを例示する図である。
【図８】発光装置の複数の提示モードの全体像を示す状態遷移図である。
【図９】提示モードを切り替えるモード変更処理の詳細を示すフローチャートである。
【図１０】状態通知モードにて実施される状態通知処理の詳細を示すフローチャートである。
【図１１】車両挙動モードにて実施される前後挙動提示処理の詳細を示すフローチャートである。
【図１２】先行発光スポットの点灯幅を設定する点灯幅設定関数の一例を示す図である。
【図１３】先行発光スポットの移動又は収縮の繰り返し周期を設定する周期設定関数の一例を示す図である。
【図１４】報知発光スポットに先行発光スポットを重ねて表示する場合の表示例である。
【図１５】車両挙動モードにて実施される左右挙動提示処理の詳細を示すフローチャートである。
【図１６】先行発光スポットの点灯位置を設定する位置設定関数の一例を示す図である。
【図１７】図１１とは別の前後挙動提示処理の詳細を示すフローチャートである。
【図１８】先行発光スポットの移動又は収縮の繰り返し周期を設定する周期設定関数の一例を示す図である。
【図１９】図１５とは別の左右挙動提示処理の詳細を示すフローチャートである。
【図２０】将来挙動の提示タイミングを設定するタイミング設定処理の詳細を示すフローチャートである。
【図２１】提示情報の詳細度を設定する詳細度設定処理の詳細を示すフローチャートである。
【図２２】行動誘発モードにて実施される能力限界提示処理の詳細を示すフローチャートである。
【図２３】複数（四つ）の認識不可エリアが発生するシーンの一例を示す図である。
【図２４】図２３のシーンにおける発光装置の点灯状態を示す図である。
【図２５】複数（三つ）の認識不可エリアが発生するシーンの一例を示す図である。
【図２６】図２５のシーンにおける発光装置の点灯状態を示す図である。
【図２７】自動化レベル毎に異なる先行発光スポットの点灯態様を比較して示す図である。
【図２８】自動化レベル毎に異なる誘導発光スポットの点灯態様を比較して示す図である。
【図２９】自動化レベル毎に異なる報知発光スポットの点灯態様を比較して示す図である。
【図３０】自動化レベル提示処理の詳細を示すフローチャートである。
【図３１】ユースケース１での情報提示システムによる情報提示を順に示す図である。
【図３２】ユースケース１での前後挙動提示の詳細を示す図である。
【図３３】ユースケース１での行動誘発提示の詳細を示す図である。
【図３４】図３３とは別パターンによる行動誘発提示の詳細を示す図である。
【図３５】運転者の確認行動に伴って誘導発光スポットをフェードアウトさせる方法の一例を示す図である。
【図３６】ユースケース２での情報提示を図３７と共に示す図である。
【図３７】ユースケース２での情報提示を図３６と共に示す図である。
【図３８】ユースケース２での行動誘発提示の詳細を示す図である。
【発明を実施するための形態】
【００１１】
本開示の一実施形態による提示制御装置の機能は、図１及び図２に示すＨＣＵ（HMI（Human Machine Interface）Control Unit）３０によって実現されている。ＨＣＵ３０は、車両制御ＥＣＵ（Electronic Control Unit）８０及び自動運転ＥＣＵ５０等の電子制御ユニットと共に車両Ａに搭載されている。車両制御ＥＣＵ８０及び自動運転ＥＣＵ５０は、運転者に代わって運転操作を行う自動運転機能を実現する処理装置であって、協調して車両Ａを自律走行させることができる。ＨＣＵ３０、自動運転ＥＣＵ５０及び車両制御ＥＣＵ８０は、直接的又は間接的に互い電気接続されており、相互に通信可能である。
【００１２】
車両制御ＥＣＵ８０は、車両Ａに搭載された車載センサ群８２及び車載アクチュエータ群８３と直接的又は間接的に電気接続されている。車載センサ群８２は、車両Ａの状態を検出する複数のセンサである。車載センサ群８２には、例えば車速センサ、舵角センサ、加速度センサ、アクセルポジションセンサ及びブレーキペダルセンサが含まれている。車載アクチュエータ群８３は、車両Ａの加減速制御及び操作制御等を実行する。車載アクチュエータ群８３には、例えば電子制御スロットルのスロットルアクチュエータ、インジェクタ、ブレーキアクチュエータ、並びに駆動用及び回生用のモータジェネレータが含まれている。
【００１３】
車両制御ＥＣＵ８０は、処理部、ＲＡＭ、メモリ装置、及び入出力インターフェース等を有するコンピュータを主体に構成されている。車両制御ＥＣＵ８０は、メモリ装置に記憶された車両制御プログラムを処理部によって実行することにより、車両制御に係る機能ブロックとしてアクチュエータ制御部８１を構築する。アクチュエータ制御部８１は、運転者の運転操作に基づく操作情報及び自動運転ＥＣＵ５０から取得される自律走行情報の少なくとも一方と、車載センサ群８２の検出情報とに基づき、車載アクチュエータ群８３を統合的に作動させ、車両Ａの挙動を制御する。
【００１４】
自動運転ＥＣＵ５０は、ＧＮＳＳ（Global Navigation Satellite System）受信機７１、地図データベース７２、自律センサ群７３、自動運転スイッチ７６等と直接的又は間接的に電気接続されている。自動運転ＥＣＵ５０は、自律走行に必要な情報を取得する構成であるＧＮＳＳ受信機７１、地図データベース７２及び自律センサ群７３等と共に、車両Ａにおける自動運転システム９０を構築している。
【００１５】
ＧＮＳＳ受信機７１は、複数の人工衛星から送信された測位信号を受信可能である。ＧＮＳＳ受信機７１は、受信した測位信号を、車両Ａの現在位置を特定するための情報として、自動運転ＥＣＵ５０へ向けて逐次出力する。
【００１６】
地図データベース７２は、多数の地図データを格納している記憶装置である。地図データには、各道路の曲率、勾配、区間の長さといった道路構造情報、道路周囲の建築物の形状等を示す建築物情報、並びに制限速度及び一方通行といった非一時的な交通規制情報等が含まれている。地図データベース７２は、自動運転ＥＣＵ５０からの要求に基づき、車両Ａの現在位置の周辺及び進行方向の地図データを自動運転ＥＣＵ５０に提供する。
【００１７】
自律センサ群７３は、歩行者及び他の車両等の移動物体、さらに路上の落下物、交通信号、ガードレール、縁石、道路標識、道路標示、及び区画線等の静止物体を検出する。自律センサ群７３には、例えばカメラユニット、ライダユニット及びミリ波レーダユニット等が含まれている。自律センサ群７３はそれぞれ、検出した移動物体及び静止物体に係る物体情報を、自動運転ＥＣＵ５０へ向けて逐次出力する。
【００１８】
自動運転スイッチ７６は、自動運転システム９０の作動状態を切り替える入力装置である。自動運転スイッチ７６は、例えばステアリングホイール１１３のスポーク部分に設けられている。自動運転スイッチ７６には、例えばＳＥＴ／ＯＮボタン及びＣａｎｃｅｌ／ＯＦＦボタンが含まれている。
【００１９】
図３に示すように、自動運転システム９０（図２参照）がオフ状態（ＡＤ＿ＯＦＦ）である場合にＳＥＴ／ＯＮボタンが操作されると、自動運転システム９０の状態は、待機状態（ＡＤ＿Ｒｅａｄｙ）に遷移する。そして、待機状態でのＳＥＴ／ＯＮボタンの操作により、自動運転システム９０による自律走行が開始される（ＡＤ＿ＯＮ）。また、自律走行中でのＣａｎｃｅｌ／ＯＦＦボタンの操作によれば、自動運転システム９０の状態は、待機状態に戻る。さらに、待機状態でのＣａｎｃｅｌ／ＯＦＦボタンの操作により、自動運転システム９０は、オフ状態となる。
【００２０】
図２に示す自動運転システム９０は、自動化レベルの異なる自律走行を実施可能である。自動化レベルは、一例として米国自動車技術会（Society of Automotive Engineers）の定義等を用いて設定できる。具体的に、自動化レベル０〜２では、運転者が主体となって運転操作を実施する。このとき、自動運転システム９０は、オフ状態又は待機状態（自動化レベル０）であるか、或いは運転者の運転操作を支援する状態（自動化レベル１〜２）である。一方で、自動化レベル３〜５では、自動運転システム９０が主体となって運転操作を実施する。以上のような自動化レベルは、運転者によって切り替え可能であってもよく、走行エリアに対し許可される自動化レベルに合わせて自動的に変更されてもよい。
【００２１】
自動運転ＥＣＵ５０は、処理部６１、ＲＡＭ６２、メモリ装置６３及び入出力インターフェースを有するコンピュータを主体に構成されている。処理部６１は、ＣＰＵ（Central Processing Unit）、ＧＰＵ（Graphics Processing Unit）及びＦＰＧＡ（Field-Programmable Gate Array）等の少なくとも一つを含む構成である。処理部６１には、ＡＩ（Artificial Intelligence）の学習及び推論に特化した専用のアクセラレータが設けられていてもよい。
【００２２】
自動運転ＥＣＵ５０は、メモリ装置６３に記憶された自動運転プログラムを処理部６１によって実行可能である。自動運転プログラムには、車両Ａを自律走行させるためのプログラムと、運転者及び自動運転システム９０間での運転交代を制御するためのプログラム等が含まれている。自動運転プログラムに基づき、自動運転ＥＣＵ５０には、自車位置特定部５１、環境認識部５２、走行計画生成部５３及び自律走行制御部５４等が構築される。
【００２３】
自車位置特定部５１は、ＧＮＳＳ受信機７１にて受信された測位信号に基づき、車両Ａの現在位置を特定する。自車位置特定部５１は、自律センサ群７３のカメラユニットから取得する前方領域の画像と、地図データベース７２から取得する詳細な地図データとの照合により、車両Ａの詳細な現在位置を補正する。
【００２４】
環境認識部５２は、自車位置特定部５１にて特定された位置情報、地図データベース７２から取得した地図データ、及び自律センサ群７３から取得した物体情報等を組み合わせることで、車両Ａの周囲の走行環境を認識する。環境認識部５２は、特に各自律センサの検出範囲内について、各物体情報の統合結果に基づき、車両Ａの周囲の物体の形状及び移動状態を認識した認識結果を取得する。環境認識部５２は、自律センサ群７３と共に周辺監視装置７０の機能を実現する。環境認識部５２は、車両Ａの周囲の認識結果と、位置情報及び地図データと組み合わせることで、実際に認識した走行環境を三次元で再現した仮想空間を生成する。尚、以下の説明では、環境認識部５２及び自律センサ群７３を含めた機能部分を、周辺監視装置７０と記載する。
【００２５】
走行計画生成部５３は、環境認識部５２によって認識された走行環境に基づき、自動運転システム９０によって車両Ａを自律走行させるための走行計画を生成する。走行計画としては、長中期の走行計画と、短期の走行計画とが生成される。長中期の走行計画では、運転者によって設定された目的地に車両Ａを向かわせるための経路が規定される。短期の走行計画では、環境認識部５２にて生成された仮想空間を用いて、長中期の走行計画に従った走行を実現するための予定走行経路が規定される。具体的に、車線追従、車線変更及び右左折のための操舵、並びに速度調整及び一時停止のための加減速等の実行が、短期の走行計画に基づいて決定される。
【００２６】
自律走行制御部５４は、自動運転モードにて、走行計画生成部５３によって策定された予定走行経路に基づく内容の加減速及び操舵を指示する自律走行情報を生成する。自律走行制御部５４は、生成した自律走行情報を車両制御ＥＣＵ８０へ向けて逐次出力する。自律走行制御部５４は、アクチュエータ制御部８１と連携し、予定走行経路に沿って車両Ａを自律走行させる。
【００２７】
ＨＣＵ３０は、乗員監視システム１０及び情報提示システム２０等とさらに接続されている。乗員監視システム１０は、主に運転席１１０（図１参照）に着座する運転者の状態を監視するシステムである。乗員監視システム１０には、ＤＳＭ（Driver Status Monitor）１１、足センサ１２及び把持センサ１３が含まれている。
【００２８】
ＤＳＭ１１は、近赤外光源及び近赤外カメラと、これらを制御する制御ユニット等とによって構成されている。ＤＳＭ１１は、近赤外カメラを運転席側に向けた姿勢にて、例えばインスツルメントパネルの上面等に配置されている。ＤＳＭ１１は、運転者の状態監視のため、近赤外光源によって近赤外光を照射された運転者の上半身を近赤外カメラで撮影する。ＤＳＭ１１は、撮影した画像を検出情報として、ＨＣＵ３０へ向けて逐次出力する。  足センサ１２は、光の照射によって物体を検出するアクティブ型の物体検出センサである。足センサ１２の検出範囲は、特にアクセルペダル及びブレーキペダルを含むように設定されている。足センサ１２は、フロア、アクセルペダル及びブレーキペダル等のうちで、運転者の足が置かれている位置を検出し、ＨＣＵ３０へ向けて検出情報を逐次出力する。
【００２９】
把持センサ１３は、ステアリングホイール１１３（図１参照）のリム部分に設けられ、運転者によるステアリングホイール１１３の把持を検出する。把持センサ１３は、ステアリングホイール１１３を運転者が把持しているか否かを示す検出情報を、ＨＣＵ３０へ向けて逐次出力する。
【００３０】
情報提示システム２０は、運転者を含む車両Ａの各乗員へ向けて、車両Ａに関連する情報を提示するシステムである。情報提示システム２０には、スピーカ２１、表示装置２２及び発光装置２３等の提示デバイスが含まれている。スピーカ２１は、例えば警告音及び音声メッセージ等を再生可能である。表示装置２２は、例えば液晶ディスプレイ等を主体に構成されている。表示装置２２は、表示面を運転席１１０へ向けた姿勢で、インスツルメントパネルに設置されている。表示装置２２は、種々の画像及び文字等を、表示画面に表示可能である。
【００３１】
図１及び図２に示す発光装置２３は、運転者の前方に位置するように、車両のインスツルメントパネルに設置されている。発光装置２３は、線状延伸領域２４に発光表示させる発光スポット２５の発光態様により、乗員に情報を提示する提示装置である。線状延伸領域２４は、車両Ａの幅方向ＷＤに沿って線状に延伸している。線状延伸領域２４の内部には、幅方向ＷＤに沿って並ぶ多数の発光素子（例えばＬＥＤ）が設けられている。発光装置２３は、線状延伸領域２４に表示させる発光スポット２５の数、サイズ、位置、移動方向、移動速度、発光色（色相、彩度、明度）及び発光輝度等を変更可能である。尚、各図における線状延伸領域２４では、濃いドットの範囲が消灯領域を示し、白色又はごく薄いドットの範囲が発光スポット２５となる発光領域を示している。
【００３２】
ＨＣＵ３０は、情報提示システム２０を用いた運転者への情報提示を統合的に制御する電子制御ユニットである。ＨＣＵ３０は、処理部４１、ＲＡＭ４２、メモリ装置４３、及び入出力インターフェース等を有するコンピュータを主体に構成されている。処理部４１は、ＣＰＵ、ＧＰＵ及びＦＰＧＡ等の少なくとも一つを含む構成である。処理部４１には、処理部６１と同様に、ＡＩの学習及び推論に特化した専用のアクセラレータが設けられていてもよい。
【００３３】
ＨＣＵ３０は、メモリ装置４３に記憶された提示制御プログラムを処理部４１によって実行可能である。提示制御プログラムには、運転者の状態推定に関連したプログラムと、情報提示システム２０の作動制御に関連したプログラム等が含まれている。提示制御プログラムに基づき、ＨＣＵ３０には、情報取得部３１、モード切替部３４及び提示制御部３５等が構築される。
【００３４】
情報取得部３１は、乗員監視システム１０、自動運転ＥＣＵ５０及び車両制御ＥＣＵ８０等から、情報提示システム２０を用いた提示に必要な種々の情報を取得する。具体的に、情報取得部３１は、自動運転システム９０のステータス情報、車両Ａの走行状態を示す車両状態情報、乗員監視システム１０による運転者の検出情報、周辺監視装置７０による走行環境認識に関連した認識情報等を取得する。情報取得部３１は、情報提示に必要な各情報を通信によって取得してもよく、又は通信によって取得した情報を加工する処理によりこれらの各情報を取得してもよい。
【００３５】
ステータス情報は、例えば自動運転システム９０の作動状態を示す情報、及び自律走行の自動化レベルを示す情報を含んでいる。車両状態情報は、車速センサを用いて計測された車両Ａの速度情報、舵角センサを用いて計測された車両Ａの操舵情報、車両Ａの現在位置を示す情報、及び周囲の走行環境の状態を示す環境情報等を含んでいる。検出情報は、ＤＳＭ１１、足センサ１２及び把持センサ１３から出力された検出結果である。認識情報は、周辺監視装置７０にて認識された物体の相対位置情報、認識結果を用いて作成された短期の走行計画、及び認識不可エリアＲＡ３（図７参照）の方向を示す方向情報を含んでいる。
【００３６】
情報取得部３１は、サブ機能ブロックとして乗員状態判定ブロック３２及び認識状態判定ブロック３３を有している。乗員状態判定ブロック３２及び認識状態判定ブロック３３は、上述したように、乗員監視システム１０、自動運転ＥＣＵ５０及び車両制御ＥＣＵ８０から提供される情報を用いて、情報提示に必要な情報を生成する機能部である。
【００３７】
乗員状態判定ブロック３２は、乗員監視システム１０による検出情報を用いて、運転者の状態を判定する。具体的に、乗員状態判定ブロック３２は、運転者の視認方向、ステアリングホイール１１３及び他の操作系の把持の有無、ブレーキペダルを踏める位置に足が位置しているか否か等、運転姿勢に関連した判定を実施する。加えて乗員状態判定ブロック３２は、運転者の表情、瞬きの回数、手及び脚の動き、並びに上記の運転姿勢等に基づき、予め設定された演算式を用いて、運転者の不安度を算定する。こうした不安度の算定には、運転者の心拍数等の情報がさらに用いられてもよい。心拍数は、例えば運転者の着用するウェアラブルデバイス等によって計測され、無線通信等によってＨＣＵ３０に送信される。尚、運転姿勢及び不安度を示す情報は、乗員監視システム１０にて生成され、情報取得部３１に逐次提供されてもよい。こうした形態では、乗員状態判定ブロック３２は、省略可能となる。
【００３８】
認識状態判定ブロック３３は、周辺監視装置７０による認識結果を用いて、車両Ａの走行環境を判定する。具体的に、認識状態判定ブロック３３は、周辺監視装置７０にて認識された物体の中から、乗員への注意喚起の対象とするリスク対象を選別する。加えて認識状態判定ブロック３３は、周辺監視装置７０によって認識できない認識不可エリアＲＡ３（図６参照）の存在を把握する。尚、リスク対象を選別する演算及び認識不可エリアＲＡ３を把握する演算は、環境認識部５２にて実施されてもよい。これらの演算結果が共に情報取得部３１に提供される形態であれば、認識状態判定ブロック３３は、省略可能となる。
【００３９】
リスク対象は、相対位置情報の示す物体のうちで、車両Ａに対する余裕時間Ｒａがマイナスとなる物体である。余裕時間Ｒａは、物体の認知、判断及び操作によって物体に対応するために必要な最低限の時間である。余裕時間Ｒａは、運転者の反応時間ＲＴ及び運転者の反応遅れ時間ＲＤＴと、制動操作又は操舵操作によって対応するために必要な時間Ｄとの合計となる（図４参照）。認識状態判定ブロック３３は、相対位置情報に基づき、各認識物体の余裕時間Ｒａを算出し、余裕時間Ｒａが負の値（マイナス）となる認識物体をリスク対象として選別する。
【００４０】
認識不可エリアＲＡ３は、周辺監視装置７０の能力限界となる範囲であり、自律走行に必要なセンシング範囲と、現在のセンシング可能範囲との差分から算出する。具体的に、認識状態判定ブロック３３は、自動運転システム９０によって要求される要求認識範囲ＲＡ１（図６参照）と、周辺監視装置７０による実際の認識が想定される想定認識範囲ＲＡ２（図６参照）との差分を用いて、認識不可エリアＲＡ３を設定する。認識状態判定ブロック３３は、認識不可エリアＲＡ３の発生と、運転者から見た認識不可エリアＲＡ３の方向とを、エリア特定処理（図５参照）によって特定する。エリア特定処理の少なくとも一部は、例えば環境認識部５２によって実行されてもよい。エリア特定処理は、車両電源のオン状態への切り替えに基づき開始され、車両電源がオフ状態となるまで継続される。
【００４１】
図５に示すエリア特定処理のＳ１０１では、現在位置を示す情報を取得し、Ｓ１０２に進む。Ｓ１０２では、周囲を走行する他車両の想定速度Ｖｓ（ｍ／ｓ）を取得し、Ｓ１０３に進む。想定速度Ｖｓは、例えば制限速度に特定値（例えば２０ｋｍ／ｈ≒５．６ｍ／ｓ）を加えた値、又は普段の交通量において９５％の車両を含むことができる値等に設定される。また、歩行者及びサイクリストを対象とする場合、想定速度Ｖｓは、蓄積された普段の速度データを用いて設定可能であり、例えば平均の移動速度に２σ（σ：速度の標準偏差）を加えた値に設定される。
【００４２】
Ｓ１０３では、走行計画に基づく数秒後の自車（車両Ａ）の挙動を取得し、Ｓ１０４に進む。Ｓ１０４では、Ｓ１０３にて取得した自車挙動にかかる予想所要時間Ｔ（ｓ）を取得し、Ｓ１０５に進む。例えば、自車挙動として右折が計画されていた場合、６〜７秒の予想所要時間Ｔを取得する。
【００４３】
Ｓ１０５では、要求認識範囲ＲＡ１を算出し、Ｓ１０６に進む。要求認識範囲ＲＡ１は、主に地図データを用いて算出され、具体的には、車両Ａを中心とし、Ｓ１０２にて取得した想定速度ＶｓとＳ１０４にて取得した予想所要時間Ｔとの積を半径とする円形の範囲とされる（図６参照）。Ｓ１０６では、車両Ａの周囲の環境情報として、周囲の視界の良否を考慮するための天候情報、時間帯情報、及び見通し情報等を取得し、Ｓ１０７に進む。見通し情報は、地図データ等に基づく道路脇の遮蔽物の有無及び形状等を示す情報である。
【００４４】
Ｓ１０７では、Ｓ１０６にて取得した環境情報を用いて、想定認識範囲ＲＡ２を算出し、Ｓ１０８に進む。想定認識範囲ＲＡ２は、自律センサ群７３（図２参照）の最大検出範囲を、Ｓ１０６にて取得した環境情報を用いて狭める処理によって取得される。遮蔽物ＢＯの死角となる範囲は、想定認識範囲ＲＡ２から外れるようになる（図７参照）。
【００４５】
Ｓ１０８では、要求認識範囲ＲＡ１と想定認識範囲ＲＡ２との差分に基づき、認識不可エリアＲＡ３として算出し、Ｓ１０９に進む。Ｓ１０９では、地図データに示された道路形状に認識不可エリアＲＡ３をフィッティングさせ（図７参照）、リスク対象の存在可能な範囲に認識不可エリアＲＡ３を設定し、Ｓ１１０に進む。こうした処理により、塀等の遮蔽物ＢＯによって自車からは死角となる範囲の道路上に、認識不可エリアＲＡ３が設定される。
【００４６】
Ｓ１１０では、Ｓ１０９にて抽出された少なくとも一つの認識不可エリアＲＡ３（図７参照）の相対位置に基づき、運転者から見た認識不可エリアＲＡ３の方向を設定する。複数の認識不可エリアＲＡ３が存在する場合には、複数の方向が設定される（図２３及び図２５等も参照）。以上の処理の繰り返しにより、情報取得部３１（図２参照）は、認識不可エリアＲＡ３の方向情報を逐次取得可能となる。
【００４７】
図２及び図８に示すように、モード切替部３４は、情報提示システム２０を用いた情報提示を、車両Ａの状態に応じて、複数の提示モードのうちで切り替える。ＨＣＵ３０には、状態通知モード、予防安全モード、車両挙動モード及び行動誘発モードという四つの提示モードが予め設定されている。提示モードの切り替えのトリガとなる車両Ａの状態には、車両Ａ自体の状態、リスク対象を検出しているか否かといった走行環境に起因する車両Ａの状態、及び特定操作が入力されたか否かといった運転者に起因する車両Ａの状態も含まれる。
【００４８】
モード切替部３４は、通常の自律走行中において、提示モードを車両挙動モードとする。モード切替部３４は、自律走行中にリスク対象が発生した場合（Ｒａ＜０）、車両挙動モードから予防安全モードへと提示モードを切り替える。そして、リスク対象の消失によってリスクが解消された場合には（Ｒａ≧０）、モード切替部３４は、予防安全モードから車両挙動モードへと提示モードを切り替える。一方、モード切替部３４は、自律走行中に認識不可エリアＲＡ３（図７参照）が発生した場合、車両挙動モードから行動誘発モードへと提示モードを切り替える。そして、行動誘発モードでの情報提示が終了すると、モード切替部３４は、状態通知モードへと提示モードを遷移させる。このとき、自動運転システム９０は、待機状態となる。
【００４９】
自動運転システム９０による自律走行を再開させる操作が運転者によって入力され、車両Ａの周囲にリスク対象が存在しない場合（Ｒａ≧０）、モード切替部３４は、状態通知モードから車両挙動モードへと提示モードを遷移させる。一方、自律走行を再開させる操作が運転者によって入力されたとき、リスク対象が存在している場合（Ｒａ＜０）、モード切替部３４は、状態通知モードから予防安全モードへと提示モードを遷移させる。尚、自律走行を再開させる操作（発進トリガ）には、ＳＥＴ／ＯＮボタンの押圧操作、及びアクセルペダルを軽く踏むペダル操作等が含まれる。
【００５０】
モード切替部３４は、モード変更処理の実行により、上述の如く各提示モードを遷移せる。モード変更処理は、車両電源のオン状態への切り替えに基づき開始され、車両電源がオフ状態となるまで継続される。以下、モード変更処理の詳細を、図９に基づき、図２及び図８を参照しつつ説明する。
【００５１】
Ｓ１２１では、自動運転システム９０の作動状態（以下、「ＡＤ状態」）を示す情報を取得し、Ｓ１２２に進む。Ｓ１２２では、余裕時間Ｒａ（図４参照）に基づくリスク対象の選別結果を判定する。余裕時間Ｒａがマイナスとなるリスク対象が存在している場合、Ｓ１２３に進む。Ｓ１２３では、提示モードを予防安全モードに設定し、Ｓ１２１に戻る。
【００５２】
Ｓ１２２にて、余裕時間Ｒａが全てプラスであり、リスク対象が選別されていないと判定した場合、Ｓ１２４に進む。Ｓ１２４では、Ｓ１２１にて取得したＡＤ状態を判定する。Ｓ１２４にて、ＡＤ状態がオフ状態又は待機状態であると判定した場合、Ｓ１２５に進む。Ｓ１２５では、提示モードを状態通知モードに設定し、Ｓ１２１に戻る。
【００５３】
Ｓ１２４にて、ＡＤ状態がオン状態であると判定した場合、Ｓ１２６に進む。Ｓ１２６では、認識状態判定ブロック３３等にて抽出される認識不可エリアＲＡ３（図７参照）の有無を判定する。Ｓ１２６にて、認識不可エリアＲＡ３が有ると判定した場合、Ｓ１２７に進む。Ｓ１２７では、提示モードを行動誘発モードに設定し、Ｓ１２１に戻る。一方、Ｓ１２６にて、認識不可エリアＲＡ３が無いと判定した場合、Ｓ１２８に進む。Ｓ１２８では、提示モードを車両挙動モードに設定し、Ｓ１２１に戻る。
【００５４】
図２に示す提示制御部３５は、情報取得部３１にて取得された認識情報等を用いて情報提示システム２０による情報提示を制御する。具体的に、提示制御部３５は、スピーカ２１による通知音及び音声メッセージ等の再生制御機能、表示装置２２の表示制御機能、並びに発光装置２３の発光制御機能を有している。発光装置２３の発光制御機能により、発光スポット２５の発光態様は、モード切替部３４による提示モードの切り替えに応じて変更され、且つ、各提示モードにて最新の認識情報等に基づいて適宜変更される。
【００５５】
例えば提示制御部３５は、周辺監視装置７０の認識の信頼度に応じて、発光スポット２５の発光輝度を調整する。具体的には、逆光、降雨及び汚れ等に起因して、走行環境認識の信頼度が低下している場合、提示制御部３５は、発光スポット２５の発光輝度を、信頼度が低下してない状態よりも低く設定する。さらに提示制御部３５は、モード切替部３４によって設定された各提示モードにおいて、個々の提示モードに対し予め規定された互いに異なる発光色で発光装置２３を発光させる。以下、各提示モードにおける発光制御の詳細を、図２及び図８を参照しつつ、順に説明する。
【００５６】
＜状態通知モード＞
状態通知モードは、自動運転システム９０の状態を示す提示モードであり、具体的には、自動運転システム９０がオフ状態又は待機状態であることを運転者に通知する。状態通知モードは、自動運転システム９０をオン状態に切り替えるための運転者の操作（許可）が必要なことを運転者に明示する。
【００５７】
提示制御部３５は、状態通知モードにて、図１０に示す状態通知処理を実施する。状態通知処理は、行動誘発モードから状態通知モードへの切り替えに基づき開始される。状態通知処理のＳ１３１では、発光装置２３を消灯させ、Ｓ１３２に進む。発光装置２３の消灯により、自動運転システム９０の待機状態が乗員に通知される。
【００５８】
Ｓ１３２では、発進許可情報の取得処理を行い、Ｓ１３３に進む。発進許可情報は、自律走行を再開させる発進トリガの入力を示す情報であり、自動運転ＥＣＵ５０から出力される情報である。Ｓ１３３では、発進許可情報の取得を待機する。Ｓ１３３にて、発進許可情報が取得された場合には、Ｓ１３４に進む。Ｓ１３４では、リスク対象の有無に応じて、車両挙動モード又は予防安全モードの発光制御への切り替えを実施し、状態通知処理を終了する。
【００５９】
＜予防安全モード＞
予防安全モードは、車両Ａの周辺のリスク対象の存在を注意喚起する提示モードである。提示制御部３５は、予防安全モードにて、認識状態判定ブロック３３により把握された車両Ａの周辺のリスク対象の相対位置を発光スポット（以下、「報知発光スポット２８」）によって提示する。例えば急な回避を必要とする物体が存在する場合、その方向が運転者に示される。報知発光スポット２８の点灯位置は、上面視にて、運転者のアイポイント及びリスク対象を結ぶ仮想線と、線状延伸領域２４とが交差する交差位置に設定される。以上により、報知発光スポット２８は、運転者から見てリスク対象の方向に点灯される。提示制御部３５は、例えばリスク対象が存在する左右いずれかの方向へ向けて報知発光スポット２８を移動させ、運転者の視認方向を誘導可能である。
【００６０】
報知発光スポット２８によるリスク対象の提示によれば、自動運転システム９０による回避支援が不十分な場合に、運転者による対応が可能となる。加えて、自動運転システム９０による再発進の際に、運転者によるリスク対象の見落としが低減され得る。報知発光スポット２８の発光色は、例えば橙色（アンバー）とされる。報知発光スポット２８は、他の提示モードの発光スポット２５と異なる発光色での点灯により、普段よりも急な挙動の発生を乗員に予見させることができる。その結果、車両Ａの乗員は、自動運転システム９０による急な車両挙動の変化に前もって構えることができる。
【００６１】
＜車両挙動モード＞
車両挙動モードは、走行計画生成部５３にて計画された自律走行の将来挙動を、発光スポット（以下、「先行発光スポット２６」）によって先行提示する提示モードである。将来挙動の提示により、車両Ａの乗員は、周辺監視装置７０の能力限界を知る手がかりを獲得できる。詳記すると、周辺監視装置７０の能力限界に起因し、車両Ａの周囲の物体を見逃した内容の将来挙動が提示された場合、車両Ａの乗員は、将来挙動が車両Ａの周囲の物体を見逃した内容であることを予見可能となる。以上によれば、車両Ａの乗員は、車両挙動に現れる前に、将来挙動を手がかりとして、周辺監視装置７０の誤認識又は未認識に気づくことができる。故に、車両挙動モードでは、将来挙動が未知の能力限界を示す情報として機能する。
【００６２】
車両挙動モードにおける先行発光スポット２６の発光色は、予防安全モード及び行動誘発モードとは異なる発光色であり、例えば緑色とされる。自律走行によって車両Ａが直進している場合、提示制御部３５は、先行発光スポット２６を点灯基準位置ＬＰｒ（図８参照）に点灯させる。点灯基準位置ＬＰｒは、運転席１１０（図１参照）の正面位置に規定される。提示制御部３５は、直進からの挙動変化が走行計画にて予定されている場合に、前後挙動提示及び左右挙動提示等を実施する。各挙動提示にて表示されるアニメーションの内容は、予定された挙動変化量又は挙動変化の種類によって変更可能である。加えて提示制御部３５は、情報提示のタイミング及び詳細度を、運転者の状態に応じて調整可能である。以下、先行発光スポット２６を用いた各挙動提示の詳細を順に説明する。
【００６３】
〔前後挙動提示（パターン１：挙動の変化量に応じてアニメーションを変更）〕
提示制御部３５は、走行計画にて減速挙動が予定された場合に、前後挙動の提示を発光装置２３に行わせる。前後挙動提示において、先行発光スポット２６は、点灯基準位置ＬＰｒに点灯され、乗員に感じられる車両Ａの減速を幅方向ＷＤの伸縮によって予告する。提示制御部３５は、先行発光スポット２６の伸縮表示における点灯幅及び周期を、走行計画にて計画された減速挙動の変化量に応じて変更する。提示制御部３５は、先行発光スポット２６の点灯幅を規定するための点灯幅設定関数Ｆｖ１（図１２参照）と、伸縮の周期を規定するための周期設定関数Ｆａ（図１３参照）とを設定する。以下、点灯幅設定関数Ｆｖ１及び周期設定関数Ｆａを用いて前後挙動提示を制御する前後挙動提示処理の詳細を説明する。
【００６４】
図１１に示す前後挙動提示処理のＳ１４１では、現在の速度情報Ｖｃを取得し、Ｓ１４２に進む。Ｓ１４２では、走行計画にて規定された数秒後の速度情報Ｖｔを取得し、Ｓ１４３に進む。Ｓ１４３では、Ｓ１４１及びＳ１４２にて取得した各速度情報Ｖｃ，Ｖｔの示す速度差に基づき、車両Ａに作用する前後方向の予測加速度Ａｔｄを算出し、Ｓ１４４に進む。
【００６５】
Ｓ１４４では、Ｓ１４３にて算出した予測加速度Ａｔｄと、予め規定された二つの閾値ｔｈ１，ｔｈ２とを比較する。閾値ｔｈ１は、人が感じるか否かの境界となる加速度であり、例えば０．１Ｇ程度である。閾値ｔｈ２は、人が不安になるか否かの境界となる加速度であり、例えば０．２Ｇ程度である。Ｓ１４４にて、予測加速度Ａｔｄが閾値ｔｈ１未満であると判定した場合、Ｓ１４５に進む。
【００６６】
Ｓ１４５では、Ｓ１４２にて取得した数秒後の速度情報Ｖｔに基づき、点灯幅設定関数Ｆｖ１（図１２参照）を用いて、先行発光スポット２６の点灯幅を設定し、Ｓ１４１に戻る。点灯幅は、車速に応じて規定され、速度情報Ｖｔの示す将来速度が高くなるほど、広く設定される。点灯幅設定関数Ｆｖ１は、一例として、停車（速度ゼロ）に対応する点灯幅をホーン幅とし、走行中の道路の制限速度に対応する点灯幅をステア幅とするように規定される。尚、ホーン幅は、ステアリングホイール１１３のセンターパッドの横幅と同程度の長さである。また、ステア幅は、ステアリングホイール１１３の外径と同程度の長さである。
【００６７】
一方、Ｓ１４４にて、予測加速度Ａｔｄが閾値ｔｈ１以上であると判定した場合、Ｓ１４６に進む。Ｓ１４６では、Ｓ１４１にて取得した現在の速度情報Ｖｃに基づき、点灯幅設定関数Ｆｖ１（図１２参照）を用いて、繰り返し開始の点灯幅を設定し、Ｓ１４７に進む。Ｓ１４７では、Ｓ１４２にて取得した将来の速度情報Ｖｔに基づき、点灯幅設定関数Ｆｖ１を用いて、繰り返し終了の点灯幅を設定し、Ｓ１４８に進む。尚、繰り返し開始の点灯幅は、ステア幅に設定されてもよい。また、繰り返し終了の点灯幅は、ホーン幅に設定されてもよい。
【００６８】
Ｓ１４８では、Ｓ１４３にて算出した予測加速度Ａｔｄに基づき、周期設定関数Ｆａ（図１３参照）を用いて、先行発光スポット２６を伸縮させるアニメーションの繰り返し周期を設定し、Ｓ１４１に戻る。繰り返し周期は、前後加速度に応じて規定され、予測加速度Ａｔｄが大きくなるに従って短く設定される。繰り返し周期は、例えば人の心拍数に近い範囲で設定され、具体的には、０．５〜２．０（秒／回）の範囲で調整される。
【００６９】
以上の提示では、車速及び加速度が大きく、乗員の不安が大きくなり易いほど、先行発光スポット２６のアニメーション表現が大きくなる。故に、乗員は、車両Ａの今後の動きと、挙動変化の急峻さを直感的に理解可能となる。加えて、車速及び加速度が小さく、乗員の不安が小さく抑えられる場合、先行発光スポット２６のアニメーション表現は、小さくなる。その結果、乗員の煩わしさが低減可能となる。
【００７０】
また、Ｓ１４４にて、予測加速度Ａｔｄが閾値ｔｈ２以上であると判定された場合、提示モードは、車両挙動モードから予防安全モードへと切り替えられる。このとき、提示制御部３５は、報知発光スポット２８の上に先行発光スポット２６を重ねた表示を発光装置２３に行わせる（図１４参照）。運転者の見かけ上にて、先行発光スポット２６は、報知発光スポット２８の上に重畳された態様となる。報知発光スポット２８のサイズ（横幅）は、先行発光スポット２６のサイズよりも大きい。先行発光スポット２６は、車両Ａの将来挙動を示した後、消灯される。
【００７１】
〔左右挙動提示（パターン１：挙動の変化量に応じてアニメーションを変更）〕
提示制御部３５は、走行計画にて左右への移動を伴う挙動（以下、「左右挙動」）が予定された場合に、左右挙動の提示を発光装置２３に行わせる。左右挙動提示において、先行発光スポット２６は、左右いずれかへの移動を繰り返す表示により、乗員に感じられる車両Ａの横移動を予告する。例えば、車両Ａの左折、左車線への車線変更、及び左方向への合流等が予定された場合に、先行発光スポット２６は、左方向へ流れる動きを繰り返す。同様に、車両Ａの右折、右車線への車線変更、及び右方向への合流等が予定された場合に、先行発光スポット２６は、右方向へ流れる動きを繰り返す。
【００７２】
提示制御部３５は、先行発光スポット２６の横移動表示における移動幅及び周期を、走行計画にて計画された左右挙動の変化量に応じて変更する。提示制御部３５は、先行発光スポット２６の点灯態様を規定するための位置設定関数Ｆｖ２（図１６参照）と、移動の周期を規定するための周期設定関数Ｆａ（図１２参照）とを設定する。以下、位置設定関数Ｆｖ２及び周期設定関数Ｆａを用いて左右挙動提示を制御する左右挙動提示処理の詳細を説明する。
【００７３】
図１５に示す左右挙動提示処理のＳ１５１では、現在の操舵情報Ｓｃを取得し、Ｓ１５２に進む。Ｓ１５２では、走行計画にて規定された数秒後の操舵情報Ｓｔを取得し、Ｓ１５３に進む。Ｓ１５３では、Ｓ１５１及びＳ１５２にて取得した各操舵情報Ｓｃ，Ｓｔが示す舵角差に基づき、車両Ａに作用する左右方向の予測横加速度Ａｔｓを算出し、Ｓ１５４に進む。
【００７４】
Ｓ１５４では、Ｓ１５３にて算出した予測横加速度Ａｔｓと、予め規定された二つの閾値ｔｈ１，ｔｈ２とを比較する。各閾値ｔｈ１，ｔｈ２は、前後挙動提示処理にて用いられる値と同一でよい。Ｓ１５４にて、予測横加速度Ａｔｓが閾値ｔｈ１未満であると判定した場合、Ｓ１５５に進む。
【００７５】
Ｓ１５５では、Ｓ１５２にて取得した数秒後の操舵情報Ｓｔに基づき、位置設定関数Ｆｖ２（図１６参照）を用いて、先行発光スポット２６の点灯位置を設定し、Ｓ１５１に戻る。点灯位置は、操舵角に応じて規定され、操舵情報Ｓｔの示す将来舵角が大きくなるほど、点灯基準位置ＬＰｒから左右いずれかの操舵方向へ離れた位置に設定される。操舵角が９０°以上の場合、先行発光スポット２６は、点灯基準位置ＬＰｒからステアリングホイール１１３の半径分離れた（±ステア幅の）位置に、ステアリングホイール１１３の左端又は右端と見かけ上で一致するように表示される。
【００７６】
一方、Ｓ１５４にて、予測横加速度Ａｔｓが閾値ｔｈ１以上であると判定した場合、Ｓ１５６に進む。Ｓ１５６では、Ｓ１５１にて取得した現在の操舵情報Ｓｃに基づき、位置設定関数Ｆｖ２（図１６参照）を用いて、繰り返し開始の点灯位置を設定し、Ｓ１５７に進む。Ｓ１５７では、Ｓ１５２にて取得した将来の操舵情報Ｓｔに基づき、位置設定関数Ｆｖ２を用いて、繰り返し終了の点灯位置を設定し、Ｓ１５８に進む。尚、繰り返し開始の点灯位置は、点灯基準位置ＬＰｒに設定されてもよい。また、繰り返し終了の点灯位置は、±ステア幅の位置に設定されてもよい。
【００７７】
Ｓ１５８では、Ｓ１５３にて算出した予測横加速度Ａｔｓに基づき、周期設定関数Ｆａ（図１３参照）を用いて、先行発光スポット２６を移動させるアニメーションの繰り返し周期を設定し、Ｓ１５１に戻る。繰り返し周期は、横方向の加速度に応じて規定され、予測横加速度Ａｔｓが大きくなるに従い、短く設定される。左右挙動提示の繰り返し周期は、前後挙動提示と同様に、０．５〜２．０（秒／回）の範囲で調整される。
【００７８】
以上の提示では、操舵角及び操舵角変化が大きく、乗員の不安が大きくなり易いほど、先行発光スポット２６のアニメーション表現が大きくなる。故に、乗員は、車両Ａの今後の動きと、挙動変化の急峻さを直感的に理解可能となる。加えて、操舵角及び操舵角変化が小さく、乗員の不安が小さく抑えられる場合、先行発光スポット２６のアニメーション表現は、小さくなる。その結果、乗員の煩わしさが低減可能となる。
【００７９】
〔前後挙動提示（パターン２：挙動の種類に応じてアニメーションを変更）〕
提示制御部３５は、前後挙動提示の別の表示パターンとして、先行発光スポット２６を用いたアニメーションの態様を、走行計画にて計画された減速挙動の種類に応じて変更する。このように、将来挙動の分類を詳細に提示すれば、乗員による将来挙動の理解が容易となる。一例として、提示制御部３５は、信号を通過予定の場合のアニメーションと、信号で停車予定の場合のアニメーションとを、異なる態様で表示する。こうした別のパターンにおいても、提示制御部３５は、位置設定関数Ｆｖ２（図１２参照）及び周期設定関数Ｆａ（図１８参照）に基づき、先行発光スポット２６の伸縮表示における点灯幅及び周期を規定する。以下、予定された前後挙動の種類に応じて、アニメーションの態様を変更する別の前後挙動提示処理の詳細を説明する。
【００８０】
図１７に示す前後挙動提示処理のＳ１６１〜Ｓ１６３では、Ｓ１４１〜Ｓ１４３（図１１参照）と実質同一の処理により、現在及び数秒後の各速度情報Ｖｃ，Ｖｔの取得と、前後方向の予測加速度Ａｔｄの算出とを行い、Ｓ１６４に進む。Ｓ１６４では、走行計画にて予定された将来挙動の種類を判別する。Ｓ１６４にて、信号での停車、具体的には、一時停止、赤信号による停止、右折待ちのための停止、及び先行車に続いた停止等が予定されていると判断した場合、Ｓ１６６に進む。
【００８１】
Ｓ１６６〜Ｓ１６８では、Ｓ１４６〜Ｓ１４８（図１１参照）と実質同一の処理により、繰り返し開始の点灯幅、繰り返し終了の点灯幅、及び繰り返し周期を、点灯幅設定関数Ｆｖ１（図１２参照）及び周期設定関数Ｆａ（図１８参照）を用いて設定する。以上により、停車挙動の予告提示では、点灯基準位置ＬＰｒへ向けて先行発光スポット２６を縮ませるアニメーションが繰り返し表示される。
【００８２】
一方、Ｓ１６４にて、信号の通過が予定されていると判断した場合、Ｓ１６９に進む。Ｓ１６９では、繰り返し開始の点灯幅をホーン幅に設定し、Ｓ１７０に進む。Ｓ１７０では、Ｓ１６１にて取得した現在の速度情報Ｖｃに基づき、点灯幅設定関数Ｆｖ１（図１２参照）を用いて、繰り返し終了の点灯幅を設定し、Ｓ１７１に進む。Ｓ１７０にて設定される繰り返し終了の点灯幅は、ステア幅であってもよい。Ｓ１７１では、Ｓ１６３にて算出した予測加速度Ａｔｄに基づき、周期設定関数Ｆａ（図１８参照）を用いて、先行発光スポット２６の伸縮の繰り返し周期を設定する。以上により、信号通過の予定提示では、先行発光スポット２６を外側へ拡張させるアニメーションが繰り返し表示される。
【００８３】
さらに、Ｓ１６４にて、信号停車及び信号通過のいずれも走行計画では予定されていないと判定した場合、Ｓ１６５に進む。Ｓ１６５では、Ｓ１４５（図１１参照）と実質同一の処理により、先行発光スポット２６の点灯幅を設定し、Ｓ１６１に戻る。この場合、減速後の速度に応じた点灯幅の先行発光スポット２６が、点灯基準位置ＬＰｒに表示される。
【００８４】
〔左右挙動提示（パターン２：挙動の種類に応じてアニメーションを変更）〕
提示制御部３５は、左右挙動提示の別の表示パターンとして、先行発光スポット２６を用いたアニメーションの態様を、走行計画にて計画された左右挙動の種類に応じて変更する。左右挙動提示においても、将来挙動の分類を詳細に提示すれば、乗員による将来挙動の理解が容易となる。一例として、提示制御部３５は、車線内走行を維持する左右挙動のアニメーションと、車線を跨ぐ左右移動のアニメーションとを、異なる態様で表示する。こうした別のパターンにおいても、提示制御部３５は、位置設定関数Ｆｖ２（図１６参照）及び周期設定関数Ｆａ（図１８参照）に基づき、先行発光スポット２６の横移動表示における移動幅及び周期を規定する。以下、予定された左右挙動の種類に応じて、アニメーションの態様を変更する別の左右挙動提示処理の詳細を説明する。
【００８５】
図１９に示す左右挙動提示処理のＳ１８１〜Ｓ１８３では、Ｓ１５１〜Ｓ１５３（図１５参照）と実質同一の処理により、現在及び数秒後の各操舵情報Ｓｃ，Ｓｔと、左右方向の予測横加速度Ａｔｓを算出し、Ｓ１８４に進む。Ｓ１８４では、走行計画にて予定された将来挙動の種類を判別する。Ｓ１８４にて、車線内走行の維持が予定されていると判断した場合、Ｓ１８５に進む。Ｓ１８５では、Ｓ１５５（図１５参照）と実質同一の処理により、位置設定関数Ｆｖ２（図１６参照）を用いて、先行発光スポット２６の点灯位置を設定し、Ｓ１８１に戻る。以上により、点灯基準位置ＬＰｒから左右にずれた位置に先行発光スポット２６が点灯される。
【００８６】
一方、Ｓ１８４にて、合流及び分岐を含む車線変更、並びに右左折等の進路変更が予定されていると判断した場合、Ｓ１８６に進む。Ｓ１８６では、Ｓ１８１にて取得した現在の操舵情報Ｓｃに基づき、位置設定関数Ｆｖ２（図１６参照）を用いて、繰り返し開始の点灯位置を設定し、Ｓ１８７に進む。Ｓ１８７では、Ｓ１８２にて取得した将来の操舵情報Ｓｔに基づき、位置設定関数Ｆｖ２を用いて、繰り返し終了の点灯位置を設定し、Ｓ１８８に進む。Ｓ１８８では、Ｓ１８３にて算出した予測横加速度Ａｔｓに基づき、周期設定関数Ｆａ（図１８参照）を用いて、先行発光スポット２６を移動させる繰り返し周期を設定し、Ｓ１８１に戻る。以上によれば、先行発光スポット２６の左右いずれかへの移動が繰り返される。尚、繰り返し開始の点灯位置は、点灯基準位置ＬＰｒに設定されてもよい。また、繰り返し終了の点灯位置は、±ステア幅に設定されてもよい。
【００８７】
〔提示タイミングの調整〕
提示制御部３５は、運転者の状態に応じて、先行提示のタイミングを変更可能である。提示制御部３５は、認識状態判定ブロック３３における余裕時間Ｒａ（図４参照）の算出結果を利用して、先行提示のタイミングを、乗員に不安を感じさせない時期に調整する。提示制御部３５は、運転者の認知及び判断と同じタイミングで、自動運転システム９０における認知及び判断を提示する（図４参照）。具体的に、先行提示のタイミングは、余裕時間Ｒａが０〜２秒程度となる時期に設定され、運転者の運転姿勢及び不安度に応じて調整される。こうした設定によれば、自動運転システム９０における認知及び判断が誤っている場合でも、運転者は、不安なく対応可能となる。以下、先行提示のタイミングを設定するタイミング設定処理の詳細を説明する。
【００８８】
図２０に示すタイミング設定処理のＳ１９１では、乗員状態判定ブロック３２にて判定された運転姿勢に関連する情報を取得し、Ｓ１９２に進む。Ｓ１９２では、Ｓ１９１にて取得した情報に基づき、運転者の現在の運転姿勢を診断する。Ｓ１９２にて、運転者の手がステアリングホイール１１３を把持しており、且つ、運転者の足がブレーキペダルを踏んでいると判定した場合、Ｓ１９３に進む。Ｓ１９３では、運転者が正しい運転姿勢をとっているため、運転者の反応遅れ時間ＲＤＴ（図４参照）をゼロに設定し、Ｓ１９７に進む。
【００８９】
一方、Ｓ１９２にて、運転者の手がステアリングホイール１１３を把持しているものの、足がフロアに置かれていると判定した場合、Ｓ１９４に進む。Ｓ１９４では、運転者の反応遅れ時間ＲＤＴを０．５秒に設定し、Ｓ１９７に進む。また、Ｓ１９２にて、運転者の手がステアリングホイール１１３を把持していないと判定した場合、Ｓ１９５に進む。Ｓ１９５では、運転者の反応遅れ時間ＲＤＴを１．０秒に設定し、Ｓ１９７に進む。さらに、Ｓ１９２にて、運転者の手がステアリングホイール１１３以外を把持していると判定した場合、Ｓ１９６に進む。Ｓ１９６では、運転者の反応遅れ時間ＲＤＴを２．０秒に設定し、Ｓ１９７に進む。以上の処理により、運転姿勢に応じた余裕時間Ｒａが設定される。
【００９０】
Ｓ１９７では、乗員状態判定ブロック３２にて算定された運転者の不安度を取得し、Ｓ１９８に進む。Ｓ１９８では、Ｓ１９７にて取得した不安度を判定する。Ｓ１９８にて、不安度が低いと判定した場合、Ｓ１９９に進む。Ｓ１９９では、余裕時間Ｒａがゼロとなるときを提示タイミングに設定する。
【００９１】
一方、Ｓ１９８にて、不安度が中程度と判定した場合、Ｓ２００に進み、余裕時間Ｒａが１．０秒となるときを提示タイミングに設定する。また、Ｓ１９８にて、不安度が高いと判定した場合、Ｓ２０１に進み、余裕時間Ｒａが２．０秒となるときを提示タイミングに設定する。以上の処理により、不安度が高くなるほど、先行提示のタイミングが、不安源への到達時刻に対して早められる。
【００９２】
〔情報提示の詳細度の調整〕
提示制御部３５は、運転者の状態（不安度）に応じて、情報提示の詳細度を調整可能である。提示制御部３５は、運転者の不安度が高いとき及び高いところほど、情報提示システム２０に詳細な情報を提示させる。一方、提示制御部３５は、運転者の安心感が高いとき及び高いところほど、概要提示に留める。不安度に応じた情報粒度の調整によれば、安心感の確保と煩わしさの低減とを両立することが可能になる。以下、情報提示の詳細度を設定する詳細度設定処理の詳細を説明する。
【００９３】
図２１に示す詳細度設定処理のＳ２１１では、乗員状態判定ブロック３２にて算定された運転者の不安度を取得し、Ｓ２１２に進む。Ｓ２１２では、Ｓ２１１にて取得した不安度を判定する。Ｓ２１２にて、不安度が低いと判定した場合、Ｓ２１３に進む。Ｓ２１３では、情報提示システム２０のうちで情報提示に使用する提示デバイスを、表示装置２２及び発光装置２３に設定する。この場合の情報提示は、将来挙動の概要を示す内容であり、周辺監視と併行した運転者によるモニタリング及び瞬時の情報の理解の実現を狙いとした内容となる。
【００９４】
一方、Ｓ２１２にて、不安度が中程度と判定した場合、Ｓ２１４に進む。Ｓ２１４では、表示装置２２及び発光装置２３に加えて、スピーカ２１を、使用する提示デバイスに設定する。この場合、スピーカ２１により、将来挙動の内容が乗員に通知される。さらに、Ｓ２１２にて、不安度が高いと判定した場合、Ｓ２１５に進む。Ｓ２１５では、Ｓ２１４と同様に、発光装置２３、表示装置２２及びスピーカ２１が、使用対象に設定される。この場合、将来挙動の内容に加えて、挙動変化の実施理由等が、表示及び音声の少なくとも一方により、乗員に対して通知される。こうした情報提示によれば、運転者は、必要に応じて挙動変化の詳細を確認可能となる。
【００９５】
＜行動誘発モード＞
行動誘発モードは、認識不可エリアＲＡ３（図７参照）の発生を通知し、認識不可エリアＲＡ３の確認行動又は運転交代を運転者に促す提示モードである。上述したように、認識不可エリアＲＡ３は、周辺監視装置７０の能力限界を示すエリアであり、自動運転システム９０が状況を把握できないエリアである。車両挙動モードでは未知の能力限界を間接的に提示するのに対して、行動誘発モードでは、既知の能力限界を直接的に提示する。周辺監視装置７０の能力限界が予め分かるうえに、どの方向を確認すればよいか理解容易となることで、運転者は、能力限界に対して余裕を持って対応できる。
【００９６】
提示制御部３５は、行動誘発モードにおいて、認識状態判定ブロック３３により把握された認識不可エリアＲＡ３（図７参照）の存在を発光スポット（以下、「誘導発光スポット２７」，図８参照）によって提示する。行動誘発モードにおける誘導発光スポット２７の発光色は、リスク対象がいる場合との混乱を防ぐため、予防安全モードとは異なった発光色とされ、例えば黄色とされる。誘導発光スポット２７は、運転者から見た認識不可エリアＲＡ３の方向を示す。以下、認識不可エリアＲＡ３の提示を制御する能力限界提示処理の詳細を、図２２に基づき、図２３〜図２６を図２と共に参照しつつ説明する。
【００９７】
能力限界提示処理のＳ３０１では、認識状態判定ブロック３３にて把握された認識不可エリアＲＡ３の方向情報（図５  Ｓ１１０参照）を取得し、Ｓ３０２に進む。Ｓ３０２では、Ｓ３０１にて取得した方向情報から、現在の認識不可エリアＲＡ３の方向の数を判定する。Ｓ３０２の分岐により、能力限界の発生数に応じて点灯パターンが変更される。Ｓ３０２にて、方向の数がゼロ、即ち、認識不可エリアＲＡ３が無い場合、Ｓ３０１に戻る。
【００９８】
一方、Ｓ３０２にて、認識不可エリアＲＡ３の方向の数が１つ又は２つであると判定した場合、Ｓ３０３に進む。Ｓ３０３では、認識不可エリアＲＡ３の方向に、誘導発光スポット２７（図８参照）の点灯位置を設定し、Ｓ３０４に進む。Ｓ３０４では、Ｓ３０４にて設定された点灯位置の間について、消灯状態とする設定とし、Ｓ３０７に進む。
【００９９】
また、Ｓ３０２にて、認識不可エリアＲＡ３の方向の数が三つ以上であると判定した場合（図２３及び図２５参照）、Ｓ３０５に進む。この場合、最も外側の認識不可エリアＲＡ３を示した二方向の間が全点灯される。Ｓ３０５では、発光範囲２７ａの両端位置を規定する。具体的にＳ３０５では、複数の認識不可エリアＲＡ３の方向のうちで、運転者から見て右端となる位置２７ｒと左端となる位置２７ｌを設定し、Ｓ３０６に進む（図２４及び図２６参照）。Ｓ３０６では、Ｓ３０５にて設定された二つの点灯位置の間について、点灯状態とする設定とし、Ｓ３０７に進む。こうした発光範囲２７ａの帯状発光によれば、多数の誘導発光スポット２７の点灯に起因した乗員の混乱が防止可能となる。
【０１００】
Ｓ３０７では、乗員状態判定ブロック３２にて特定された運転者の視認方向を示す情報（以下、「視認方向情報」）を取得し、Ｓ３０８に進む。Ｓ３０８では、Ｓ３０７にて視認方向情報が取得できたか否かを判定する。Ｓ３０８にて、視認方向情報が取得できないと判定した場合、Ｓ３０９に進む。一例として、乗員監視システム１０にＤＳＭ１１が設けられていない場合、視認方向情報は、取得されない。また、ＤＳＭ１１が設けられていても、顔及び目等が検出できない場合、視認方向のロストにより、視認方向情報は、取得されない。
【０１０１】
Ｓ３０９では、運転席１１０の正面の点灯基準位置ＬＰｒから、Ｓ３０３又はＳ３０５にて設定した点灯位置まで、誘導発光スポット２７を移動させ、Ｓ３１０に進む。こうした誘導発光スポット２７の移動により、運転者の視認方向が誘導される。Ｓ３１０では、特定時間又は特定回数、誘導発光スポット２７の移動を繰り返し、Ｓ３１３に進む。
【０１０２】
一方、Ｓ３０８にて、視認方向情報が取得できていると判定した場合、Ｓ３１１に進む。Ｓ３１１では、上面視にて、視線方向を規定する仮想線と線状延伸領域２４（図２４参照）とが交差する交差位置から、Ｓ３０３又はＳ３０５にて設定した点灯位置まで、誘導発光スポット２７を移動させ、Ｓ３１２に進む。Ｓ３１２では、特定時間又は特定回数、誘導発光スポット２７の移動を繰り返した後、Ｓ３１３に進む。
【０１０３】
以上のＳ３１０及びＳ３１２では、ＤＳＭ１１による運転者の注視点ＰＧ（図３５参照）の検出情報を用いて、認識不可エリアＲＡ３の方向を運転者が確認した場合に、誘導発光スポット２７を消灯してもよい。誘導発光スポット２７を消灯した後のＳ３１３では、行動誘発提示を終了し、発光装置２３の作動状態を状態通知モードの待機状態に設定する（図８参照）。
【０１０４】
＜自動化レベル提示＞
ここまで説明した各提示モードは、自動化レベル２の自動運転を前提した内容である。一方で、提示制御部３５は、図２７〜図２９に示すように、自動運転の自動化レベルに応じて、各提示モードにおける発光スポット２５の発光態様、具体的には、点灯基準位置ＬＰｒ及び点灯幅を変更可能である。自動化レベル２以下の場合、個人モードとして、主に運転者を提示の対象とする情報提示が実施される。一方で、自動化レベル３以上の場合、全員モードとして、全ての乗員を提示の対象とした情報提示が実施される。こうした提示により、乗員は、自動運転の自動化レベルを直感的に理解できる。以下、車両挙動モード、行動誘発モード及び予防安全モードについて、自動化レベル毎の表示の詳細を順に説明する。尚、運転者が寝ている場合に、全員モードでの提示が実施されてもよい。また、特定のスイッチ等の操作により、個人モードと全員モードとが切り替えられてもよい。
【０１０５】
図２７に示す車両挙動モードでは、自動化レベル２の場合に、先行発光スポット２６の点灯基準位置ＬＰｒは、運転席１１０（図１参照）の正面に設定される。一方で、自動化レベル３の場合には、点灯基準位置ＬＰｒは、運転席１１０の正面位置よりも車両Ａの中央寄りとされ、一例として車両Ａにおける幅方向ＷＤの中央に設定される。以上のような点灯基準位置ＬＰｒの切り替えにより、自動化レベル２では、運転者が運転の主体であることが表現され、自動化レベル３では、自動運転システム９０が運転の主体であることが表現される。
【０１０６】
また自動化レベル２，３の場合、先行発光スポット２６の点灯幅は、予め規定された特定幅Ｘとされる。そして、点灯幅及び点灯位置の変化により、先行発光スポット２６は、将来挙動を通知する。こうした提示により、運転者を除く乗員にも、車両Ａの将来挙動が伝わるようになる。対して、自動化レベル４−５の場合、先行発光スポット２６の点灯幅が線状延伸領域２４の全体まで拡張される。これにより、線状延伸領域２４の全体が、車両挙動モードに規定された発光色（緑色）で発光する。発光装置２３は、将来挙動に応じた表現の変化を行わないことで、運転者による対応が不要であることを提示する。
【０１０７】
図２８に示す行動誘発モードでは、自動化レベル２の場合、誘導発光スポット２７は、周辺監視装置７０の能力不足が生じている認識不可エリアＲＡ３（図２３参照）の方向を提示し、運転者に確認能力の補完を要請する。一方で、自動化レベル３，４−５の状態で能力不足が発生すると、発光装置２３は、線状延伸領域２４の発光により、運転者への運転交代を要請する。具体的に、自動化レベル３の場合、運転交代が必要となる数秒〜数分前に、車両Ａにおける幅方向ＷＤの中央に、特定幅Ｘの誘導発光スポット２７が点灯される。そして、運転者が運転交代の要請に対応すると、自動化レベル２以下の行動誘発モードへの切り替えが実施される。一方、自動化レベル４−５の場合、運転交代が必要となる数秒〜数分前に、誘導発光スポット２７の点灯幅が線状延伸領域２４の全体まで拡張される。これにより、線状延伸領域２４の全体が、行動誘発モードに規定された発光色（黄色）で発光する。この場合でも、運転者が運転交代の要請に対応すると、自動化レベル３以下の行動誘発モードへの切り替えが実施される。
【０１０８】
図２９に示す予防安全モードでは、自動化レベル０−１の場合でも、情報提示が実施される。自動化レベル０−１の場合、報知発光スポット２８は、リスク対象の方向を運転者に対し提示する。同様に、自動化レベル２の場合でも、報知発光スポット２８は、リスク対象の方向を運転者に対し提示する。自動化レベル２の場合の報知発光スポット２８は、急制動又は急操舵の発生を予告する役割、又は運転者によるオーバーライドを促す役割を果たしている。
【０１０９】
一方、自動化レベル３の場合、報知発光スポット２８は、リスク対象の方向に関係なく、車両Ａにおける幅方向ＷＤの中央に特定幅Ｘで点灯される。同様に、自動化レベル４−５の場合、リスク対象の発生により、報知発光スポット２８の点灯幅が線状延伸領域２４の全体まで拡張され、線状延伸領域２４の全体が発光する。以上のように、自動化レベル３，４−５の場合、リスク対象の方向は提示されない。これらの場合、発光装置２３の発光は、自動運転システム９０による急制動又は急操舵の発生を、全乗員に予告する提示となる。
【０１１０】
以上のように、提示制御部３５は、自動化レベルに応じて各提示モードの設定を変更する。その結果、発光装置２３は、線状延伸領域２４（図２９等参照）の発光態様から現在の自動化レベルを提示可能となる。以下、提示制御部３５にて実施される自動化レベル提示処理の詳細を説明する。
【０１１１】
図３０に示す自動化レベル提示処理のＳ４０１では、自動運転システム９０にて作動中の自動運転の自動化レベルを示す情報を取得し、Ｓ４０２に進む。Ｓ４０２では、Ｓ４０１にて取得した自動化レベルを判定する。Ｓ４０１にて、自動化レベル０（手動運転中）又は１であると判定した場合、Ｓ４０３に進む。
【０１１２】
Ｓ４０３では、車両挙動モードをオフ状態に設定し、Ｓ４０４に進む。Ｓ４０４では、行動誘発モードをオフ状態に設定し、Ｓ４０５に進む。Ｓ４０５では、点灯基準位置ＬＰｒを運転席１１０の正面に設定し、Ｓ４０６に進む。Ｓ４０６では、基準となる点灯幅を特定幅Ｘに設定し、処理を終了する。
【０１１３】
Ｓ４０２にて、自動化レベル２であると判定した場合、Ｓ４０７に進む。Ｓ４０７では、車両挙動モードをオン状態に設定し、Ｓ４０８に進む。Ｓ４０８では、行動誘発モードをオン状態に設定し、Ｓ４０９に進む。Ｓ４０９では、点灯基準位置ＬＰｒを運転者正面に設定し、Ｓ４１０に進む。Ｓ４１０では、基準となる点灯幅を特定幅Ｘに設定し、処理を終了する。
【０１１４】
Ｓ４０２にて、自動化レベル３であると判定した場合、Ｓ４１１に進む。Ｓ４１１では、車両挙動モードをオン状態に設定し、Ｓ４１２に進む。Ｓ４１２では、行動誘発モードをオン状態に設定し、Ｓ４１３に進む。Ｓ４１３では、点灯基準位置ＬＰｒを車両Ａの中央に設定し、Ｓ４１４に進む。Ｓ４１４では、基準となる点灯幅を特定幅Ｘに設定し、処理を終了する。
【０１１５】
Ｓ４０２にて、自動化レベル４−５であると判定した場合、Ｓ４１５に進む。Ｓ４１５では、車両挙動モードをオン状態に設定し、Ｓ４１６に進む。Ｓ４１６では、行動誘発モードをオン状態に設定し、Ｓ４１７に進む。Ｓ４１７では、点灯基準位置ＬＰｒを車両Ａの中央に設定し、Ｓ４１８に進む。Ｓ４１８では、点灯幅を線状延伸領域２４（図２９参照）の全面に設定し、処理を終了する。
【０１１６】
次に、実際の交通シーンにて行われる情報提示の詳細を、各ユースケースに沿って説明する。
【０１１７】
＜ユースケース１＞
図３１に示すユースケース１では、信号の無い交差点（Ｔ字路）を車両Ａが右折する過程での情報提示を順に説明する。ユースケース１における交差点の手前には、一時停止を義務付ける停止線が設定されている。またユースケース１における交差点の近傍には、車両Ａに対するリスク対象は、存在していない。
【０１１８】
自動運転システム９０がオン状態である車両Ａは、自律走行によって直進走行し、交差点に接近する（［１］参照）。このとき発光装置２３は、車両挙動モードでの情報提示を実施しており、先行発光スポット２６を点灯基準位置ＬＰｒに点灯させている。走行計画にて停止線での停車が予定されると、表示装置２２には、一時停止の交通標識を示すアイコンが表示される。加えてスピーカ２１（図２参照）からは、「この先、一旦停止があります」という音声メッセージが発話される。
【０１１９】
車両Ａにて減速が開始される数秒前に、発光装置２３は、先行発光スポット２６を用いて、減速の開始を予告する。具体的に、発光装置２３は、先行発光スポット２６を内側に収縮させるアニメーションを繰り返し表示する（［２］及び図３２参照）。そして、自動運転システム９０が車両Ａを停止線の手前で停車させると、先行発光スポット２６は、例えばホーン幅（図１２参照）まで縮んだ状態で点灯される（［３］参照）。尚、交差点での二段階停止が実施される場合には、［１］〜［３］の情報提示が繰り返される。
【０１２０】
ここで、認識不可エリアＲＡ３が発生していた場合、発光装置２３の提示モードは、車両挙動モードから行動誘発モードへと遷移する。発光装置２３は、誘導発光スポット２７によって認識不可エリアＲＡ３の状況の確認を運転者に促す（［４］参照）。加えて表示装置２２には、認識不可エリアＲＡ３の位置を示す交差点の俯瞰図と、安全確認及び発進許可を促すメッセージとが表示される。またスピーカ２１（図２参照）からは、「周囲の安全を確認して、発進ボタンを押してください」という音声メッセージが発話される。
【０１２１】
図３３に示すように、発光装置２３は、上記［４］にて、点灯基準位置ＬＰｒに点灯させた誘導発光スポット２７を左右に分裂させ、認識不可エリアＲＡ３の方向まで移動させる。ＤＳＭ１１にて、運転者の視認方向が検出されている場合、図３４に示すように、誘導発光スポット２７は、点灯基準位置ＬＰｒから注視点ＰＧの方向に移動した後で、左右に分裂されてもよい。
【０１２２】
図３１に示すように、発光装置２３は、誘導発光スポット２７の移動を複数回繰り返した後で、誘導発光スポット２７をフェードアウトさせる（［５］参照）。ＤＳＭ１１（図２参照）によって運転者の視認方向が検出されている場合、誘導発光スポット２７は、運転者による認識不可エリアＲＡ３の状況確認が行われたことに基づき、順に消灯される。具体的には、図３５に示すように、運転者から見て右方向にある認識不可エリアＲＡ３に運転者の注視点ＰＧが向けられた場合、右方向の誘導発光スポット２７が消灯される。同様に、運転者から見て左方向にある認識不可エリアＲＡ３に運転者の注視点ＰＧが向けられた場合、左方向の誘導発光スポット２７が消灯される。尚、運転者の視認方向が確認できない場合には、点灯開始からの一定時間の経過により、誘導発光スポット２７は消灯される。行動誘発モードによる情報提示が完了し、誘導発光スポット２７が消灯されるタイミングに合わせて、提示モードは、行動誘発モードから状態通知モードへと遷移する。
【０１２３】
図３１に示すように、自動運転システム９０は、停止線にて車両Ａを停車させた後、発進許可となる運転者の操作を待機した待機状態となる。発進許可となる操作が入力されると、自動運転システム９０は、オン状態へと遷移する。このとき、発光装置２３の提示モードも、状態通知モードから車両挙動モードへと遷移する。その結果、発光装置２３は、先行発光スポット２６を点灯基準位置ＬＰｒから右方向へ移動させるアニメーションを繰り返し表示する（［６］参照）。先行発光スポット２６の移動による情報提示と、スピーカ２１（図２参照）からの「発進します」という音声メッセージの発話とが実施された後、自律走行が再開される。そして、右折完了によって車両Ａが直進走行に遷移すると、先行発光スポット２６は、点灯基準位置ＬＰｒに点灯された状態となる（［７］参照）。
【０１２４】
＜ユースケース２＞
図３６及び図３７に示すユースケース２では、信号の有る交差点を車両Ａが右折する過程での情報提示を順に説明する。ユースケース２では、青信号の状態での交差点の進入が想定されている。またユースケース２では、交差点に進入する対向車がリスク対象として発生する。
【０１２５】
自動運転システム９０がオン状態である車両Ａは、自律走行によって直進走行し、青信号の交差点に接近する（［１］参照）。このとき発光装置２３は、車両挙動モードでの情報提示を実施しており、点灯基準位置ＬＰｒに先行発光スポット２６を点灯させている。そして、スピーカ２１（図２参照）からの「この先、交差点を右折します」という音声メッセージに発話により、右折の実施が予告される。車両Ａでは、右側の方向指示器の点滅が開始される。
【０１２６】
そして、交差点の手前にて緩減速が開始される数秒前に、発光装置２３によって減速実施が予告される。具体的には、走行計画にて設定された数秒後の車速に応じた点灯幅まで、先行発光スポット２６を収縮させるアニメーションが発光装置２３に表示される（［２］参照）。
【０１２７】
自動運転システム９０は、緩減速させた車両Ａを右折レーンへ進入させる。この右折レーンへの進入の数秒前に、発光装置２３は、先行発光スポット２６を点灯基準位置ＬＰｒから右方向へ移動させるアニメーションを繰り返し表示する（［３］参照）。右方向への先行発光スポット２６の移動幅は、走行計画にて設定された数秒後の操舵量に応じた移動幅とされる。
【０１２８】
交差点にて車両Ａが停車すると、発光装置２３は、停車時（０ｋｍ／ｈ）に対応する点灯幅にて、先行発光スポット２６を点灯基準位置ＬＰｒに点灯させる（［４］参照）。尚、赤信号で車両Ａが停止する場合、発光装置２３は、［１］及び［２］を繰り返した後、［３］の情報提示を行わずに、［４］の状態に遷移する。
【０１２９】
交差点の近傍に認識不可エリアＲＡ３が発生していた場合、発光装置２３は、行動誘発モードでの情報提示を実施し、誘導発光スポット２７によって認識不可エリアＲＡ３の状況の確認を運転者に促す（［５］参照）。具体的に、発光装置２３は、点灯基準位置ＬＰｒに点灯させた誘導発光スポット２７を左右に分裂させ、その一部を右方向の認識不可エリアＲＡ３の位置まで移動させる（図３８参照）。このとき、表示装置２２には、認識不可エリアＲＡ３の位置を示す交差点の俯瞰図と、安全確認及び発進許可を促すメッセージとが表示される。またスピーカ２１（図２参照）からは「周囲の安全を確認して、発進ボタンを押してください」という音声メッセージが発話される。
【０１３０】
発光装置２３は、誘導発光スポット２７の移動を複数回繰り返した後で、誘導発光スポット２７をフェードアウトさせる（［６］参照）。ＤＳＭ１１によって運転者の視認方向が検出されている場合、運転者による認識不可エリアＲＡ３の確認行動が行われたことに基づき、誘導発光スポット２７は、順に消灯される。一方で、運転者の視認方向が確認できない場合には、点灯開始からの一定時間の経過により、誘導発光スポット２７は消灯される。行動誘発モードによる行動誘発提示が完了し、誘導発光スポット２７が消灯されるタイミングにて、提示モードは、行動誘発モードから状態通知モードへと遷移する。
【０１３１】
ここで、運転者が対向車を見落としたまま発進許可となる操作を入力した場合、対向車は、リスク対象として検出される。この場合、自動運転システム９０は、対向車をリスク対象として検出したタイミングにて、運転者による発進許可を保留し、車両Ａの停車状態を維持する。このとき発光装置２３の提示モードは、状態通知モードから予防安全モードへと遷移する。以上により、リスク対象である対向車の方向に報知発光スポット２８が点灯される（［７］参照）。加えてスピーカ２１（図２参照）からは「対向車の通過を待ちます」という音声メッセージが発話される。
【０１３２】
対向車の交差点の通過によってリスク対象が消失すると、車両Ａは、交差点の右折を開始する。このとき、発光装置２３の提示モードは、リスク解消に伴い、予防安全モードから車両挙動モードへと遷移する。その結果、点灯基準位置ＬＰｒから右方向へ先行発光スポット２６を移動させるアニメーションが繰り返し表示される（［８］参照）。先行発光スポット２６の移動による情報提示と、「発進します」という音声メッセージの発話とが実施された後、自律走行が再開される。そして、右折完了によって車両Ａが直進走行となると、先行発光スポット２６は、点灯基準位置ＬＰｒに点灯された状態となる（［９］参照）。
【０１３３】
ここまで説明した本実施形態では、発光装置２３を用いた情報提示の提示モードが切り替えられても、周辺監視装置７０の能力限界は、各提示モードにおいて実施される発光装置２３の発光制御により、車両Ａの乗員に提示される。以上によれば、車両Ａの乗員は、周辺監視装置７０の能力限界を知る手がかりを多くの機会で得られるようになる。したがって、ＨＣＵ３０は、車両Ａにおける走行環境認識への乗員の不安を低減できる。
【０１３４】
加えて本実施形態によれば、運転者は、能力限界を知る手がかりを概ね常時認識できるようになるため、車両Ａのリスクレベルが低いうちに、走行環境認識における誤認識及び未認識に気付き得る。その結果、運転者は、自動運転システム９０を補完して、リスクに対応可能となる。このような対応が可能であれば、運転者の自動運転に対する安心感は、損なわれ難くなる。
【０１３５】
加えて本実施形態では、周辺監視装置７０の能力限界を示す認識不可エリアＲＡ３の有無に基づき、提示モードが切り替わる。こうした提示モードの遷移によれば、能力限界の発生を自動運転システム９０にて自己検知したうえで、その能力限界を補完させるような行動を、運転者に促す情報提示が実施可能となる。
【０１３６】
また本実施形態では、認識不可エリアＲＡ３が無い場合に、車両挙動モードにて、将来挙動が提示される。こうした情報提示によれば、先行発光スポット２６の動きと、周囲の状況との比較から、乗員は、能力限界の発生を予見可能となる。故に、能力限界の発生を自動運転システム９０にて自己検知できない場合でも、乗員は、能力限界を知る手がかりを得ることができる。したがって、走行環境認識への乗員の不安は、多くの自律走行期間にて、低減可能となる。
【０１３７】
さらに本実施形態では、リスク対象の発生により、先行発光スポット２６を報知発光スポット２８に重ねた表示が行われる。こうした情報提示によれば、乗員による状況把握は、いっそう容易となる。その結果、乗員は、リスク対象への対応のための自動運転システム９０による急な挙動変化にも、落ち着いて対応可できる。
【０１３８】
加えて本実施形態では、認識不可エリアＲＡ３が把握されている場合に、認識不可エリアＲＡ３の相対位置が、運転者から見た誘導発光スポット２７の方向によって提示される。こうした情報提示であれば、乗員は、自動運転システム９０の能力限界の発生範囲を容易に把握でき、能力限界を円滑に補完可能となる。故に、能力限界が発生しても、乗員の不安の増大は、生じ難くなる。
【０１３９】
また本実施形態における誘導発光スポット２７は、認識不可エリアＲＡ３へ向けて移動する。こうした提示によれば、認識不可エリアＲＡ３の視認行動を運転者に誘発させることができる。以上のように、誘導発光スポット２７の挙動によって乗員の補完行動が促されれば、誘導発光スポット２７を表示させている車両Ａへの乗員の不安は、低減され得る。
【０１４０】
さらに本実施形態では、認識不可エリアＲＡ３が三つ以上ある場合に、最も外側に位置する二つの認識不可エリアＲＡ３を基準として、全ての認識不可エリアＲＡ３の方向を包含するような帯状の発光範囲２７ａが設定される。こうした発光態様によれば、発光装置２３は、多数の誘導発光スポット２７の発光によって乗員を混乱させる事態を回避しつつ、多数の認識不可エリアＲＡ３の存在を漏れ無く乗員に伝えることができる。
【０１４１】
加えて本実施形態では、認識不可エリアＲＡ３が発生した場合、自動運転システム９０は、自律走行を中断して待機状態となる。故に、誘導発光スポットの消灯に合わせて、待機状態を示す状態通知モードに遷移すれば、認識不可エリアＲＡ３の確認を終えた運転者に対し、自律走行の中断が明示される。その結果、自律走行の再開を許可する操作の入力が運転者に促される。
【０１４２】
また本実施形態では、自律走行の自動化レベルに応じて、点灯基準位置ＬＰｒが切り替えられる。こうした切り替えによれば、乗員による自動化レベルの把握が容易となる。そして、自動化レベルの状態把握によれば、自動運転システム９０への乗員の不安は、いっそう低減される。
【０１４３】
さらに本実施形態では、要求認識範囲ＲＡ１と想定認識範囲ＲＡ２との差分に基づき、認識不可エリアＲＡ３が設定される。こうした処理によれば、認識不可エリアＲＡ３は、周辺監視装置７０の能力限界となる範囲であって、運転者による補完が必要な範囲に、適確に設定され得る。したがって、自動運転システム９０及び周辺監視装置７０を補完するための運転者の負荷が不必要に高まる事態は、回避される。
【０１４４】
加えて本実施形態では、各提示モードにおける発光スポット２５の発光色が互いに異なっている。故に、複数のうちで提示モードが切り替えられても、発光装置２３は、自動運転システム９０の状態を混乱させることなく乗員に提示できる。その結果、乗員の安心感は、いっそう向上可能となる。
【０１４５】
尚、上記実施形態では、発光装置２３が「発光部」に相当し、各位置２７ｒ，２７ｌが「両端位置」に相当し、提示制御部３５が「発光制御部」に相当し、ＨＣＵ３０が「提示制御装置」に相当する。
【０１４６】
（他の実施形態）
以上、本開示の一実施形態について説明したが、本開示は、上記実施形態に限定して解釈されるものではなく、本開示の要旨を逸脱しない範囲内において種々の実施形態及び組み合わせに適用することができる。
【０１４７】
上記実施形態では、四つの提示モードが設定されていた。加えて、四つの提示モードのうちの二つにおいて、周辺監視装置の能力限界が提示されていた。しかし、ＨＣＵに設定された提示モードの数は、四つに限定されず、例えば五つ以上であってもよい。加えて、能力限界を提示する提示モードの数も、三つ以上であってよい。また、能力限界を提示する提示モードは、予め設定された複数の提示モードの全てであってもよく、又は一部であってもよい。加えて、各提示モードの切り替えのトリガとなる情報も、上記実施形態のような認識不可エリアの有無に限定されない。車両の状態に関連する種々の情報が、提示モードを遷移させるトリガ情報として利用可能である。
【０１４８】
上記実施形態では、車両挙動モードにおける将来挙動提示と行動誘発モードにおける認識不可エリアの方向提示とが、それぞれ能力限界の提示に相当した。しかし、各提示モードにて能力限界を提示する方法は、適宜変更されてよい。加えて、車両挙動モード及び行動誘発モードにて発光スポットを用いたアニメーションの内容も、適宜変更されてよい。さらに、三つ以上の認識不可エリアが存在する場合でも、多数の誘導発光スポットの点灯により、個々の認識不可エリアの方向が個別に提示されてよい。
【０１４９】
加えて、提示モード毎に規定された発光色は、全て異なっていなくてもよい。即ち、一部の提示モードに規定された発光色は、互いに実質同一であってもよい。尚、二つの発光色を異なる設定とする場合、これらの発光色は、色相環上において、所定の角度以上、離れていることが望ましい。
【０１５０】
発光スポットを表示させるための発光装置の構成は、適宜変更可能である。例えば、帯状に形成された有機ＥＬ等の自発光パネルを用いて、移動可能な発光スポットを表示する線状延伸領域が実現されてもよい。加えて、発光装置の設置位置も、適宜変更可能である。例えば発光装置は、ウインドシールドの上方に、ウインドシールドの上縁に沿う形状で設置されていてもよい。或いは発光装置は、ウインドシールドの下方に設置され、ウインドシールドの下縁領域に光を投影する構成であってもよい。この構成では、ウインドシールドの下縁領域にて反射された反射光が各乗員に視認される。即ち、発光装置は、発光スポットの虚像を乗員に視認させる虚像表示装置であってもよい。
【０１５１】
上記実施形態では、右ハンドルの車両における情報提示の具体例を説明した。しかし、上記実施形態の情報提示は、左ハンドルの車両にも適用可能であり、乗員の不安低減に有効となる。
【０１５２】
上記実施形態では、自律走行の自動化レベルを変更可能な自動運転システムが想定されていた。しかし、自動運転システムによって実現される自律走行の自動化レベルは、変更不可能であってもよい。具体的に、自動運転システムは、自動化レベル２又は３の自律走行のみを行うシステムであり、自動化レベル４以上の自律走行を実施しないシステムであってもよい。こうした形態であれは、自動化レベルに応じた発光装置の発光態様の変更は、実施されなくてもよい。加えて、自動化レベルの定義も、上述の定義に限定されず適宜変更可能である。
【０１５３】
上記実施形態において、ＨＣＵの制御回路によって提供されていた機能は、上述のものとは異なるハードウェア及びソフトウェア、或いはこれらの組み合わせによって提供可能である。また、提示制御プログラムを記憶するメモリ装置６３（図１参照）には、種々の非遷移的実体的記憶媒体（non- transitory tangible storage medium）が採用可能である。加えて、提示制御プログラムを記憶する記憶媒体は、ＨＣＵのメモリ装置に限定されず、当該メモリ装置へのコピー元となる光学ディスク及び汎用コンピュータのハードディスクドライブ等であってもよい。
【符号の説明】
【０１５４】
Ａ  車両、ＬＰｒ  点灯基準位置、ＲＡ１  要求認識範囲、ＲＡ２  想定認識範囲、ＲＡ３  認識不可エリア、ＷＤ  幅方向、２３  発光装置（発光部）、２５  発光スポット、２６  先行発光スポット、２７  誘導発光スポット、２７ａ  発光範囲、２７ｒ  右端の位置（両端位置）、２７ｌ  左端の位置（両端位置）、２８  報知発光スポット、３０  ＨＣＵ（提示制御装置）、３１  情報取得部、３４  モード切替部、３５  提示制御部（発光制御部）、４１  処理部、７０  周辺監視装置、９０  自動運転システム、１１０  運転席
【図１】
2019137179.tif 000003
【図２】
2019137179.tif 000004
【図３】
2019137179.tif 000005
【図４】
2019137179.tif 000006
【図５】
2019137179.tif 000007
【図６】
2019137179.tif 000008
【図７】
2019137179.tif 000009
【図８】
2019137179.tif 000010
【図９】
2019137179.tif 000011
【図１０】
2019137179.tif 000012
【図１１】
2019137179.tif 000013
【図１２】
2019137179.tif 000014
【図１３】
2019137179.tif 000015
【図１４】
2019137179.tif 000016
【図１５】
2019137179.tif 000017
【図１６】
2019137179.tif 000018
【図１７】
2019137179.tif 000019
【図１８】
2019137179.tif 000020
【図１９】
2019137179.tif 000021
【図２０】
2019137179.tif 000022
【図２１】
2019137179.tif 000023
【図２２】
2019137179.tif 000024
【図２３】
2019137179.tif 000025
【図２４】
2019137179.tif 000026
【図２５】
2019137179.tif 000027
【図２６】
2019137179.tif 000028
【図２７】
2019137179.tif 000029
【図２８】
2019137179.tif 000030
【図２９】
2019137179.tif 000031
【図３０】
2019137179.tif 000032
【図３１】
2019137179.tif 000033
【図３２】
2019137179.tif 000034
【図３３】
2019137179.tif 000035
【図３４】
2019137179.tif 000036
【図３５】
2019137179.tif 000037
【図３６】
2019137179.tif 000038
【図３７】
2019137179.tif 000039
【図３８】
2019137179.tif 000040